(57)【要約】【課題】空間内の硫化水素を効率よく低減させ、しかも手軽かつ安価に用いることのできる手段を得る。【解決手段】（ａ）生物学的処理装置中の汚泥含有液を固液分離してバチルス属の細菌を含む汚泥を得て、（ｂ）工程（ａ）で得られた汚泥を自然乾燥させて乾燥汚泥を得て、次いで（ｃ）工程（ｂ）で得られた乾燥汚泥を通気性のある容器に充填することを含む、空間内の硫化水素低減材の製造方法。【選択図】なし【特許請求の範囲】
【請求項１】
下記工程：
（ａ）生物学的処理装置中の汚泥含有液を固液分離してバチルス属の細菌を含む汚泥を得て、
（ｂ）工程（ａ）で得られた汚泥を自然乾燥させて乾燥汚泥を得て、次いで
（ｃ）工程（ｂ）で得られた乾燥汚泥を通気性のある容器に充填する
を含む、空間内の硫化水素低減材の製造方法。
【請求項２】
さらに、乾燥汚泥に水分を与える工程（ｄ）を含む請求項１記載の方法。
【請求項３】
工程（ｄ）が、工程（ｂ）と工程（ｃ）の間に行われる請求項２記載の方法。
【請求項４】
工程（ｄ）が、工程（ｃ）の後に行われる請求項２記載の方法。
【請求項５】
工程（ｄ）において水分が噴霧により与えられる請求項２〜４のいずれか１項記載の方法。
【請求項６】
工程（ｄ）における水分がバチルス属の細菌を含む液である請求項２〜５のいずれか１項記載の方法。
【請求項７】
バチルス属の細菌を含む液が、生物学的処理装置中の汚泥含有液を固液分離して得られたバチルス属の細菌を含む液またはそれをもとにしてバチルス属の細菌を増殖させた液である請求項６記載の方法。
【請求項８】
工程（ｂ）において木質チップを混合した汚泥を自然乾燥させる、請求項１〜７のいずれか１項記載の方法。
【請求項９】
請求項１〜８のいずれか１項記載の方法により得られた材を空間内に配置することを含む、空間内の硫化水素を低減させる方法。
【請求項１０】
空間内に配置された材中の汚泥に水分を与えることを含む請求項９記載の方法。
【請求項１１】
水分が噴霧により与えられる請求項１０記載の方法。
【請求項１２】
水分がバチルス属の細菌を含む液である請求項１０または１１記載の方法。
【請求項１３】
バチルス属の細菌を含む液が、生物学的処理装置中の汚泥含有液を固液分離して得られたバチルス属の細菌を含む液またはそれをもとにしてバチルス属の細菌を増殖させた液である請求項１２記載の方法。
【請求項１４】
生物学的処理装置由来のバチルス属の細菌を含む乾燥汚泥が通気性のある容器中に充填されてなる空間内の硫化水素低減材であって、生物学的処理装置中の汚泥含有液を固液分離して得られたバチルス属の細菌を含む液またはそれをもとにしてバチルス属の細菌を増殖させた液を乾燥汚泥に与えることにより硫化水素低減効果が向上あるいは持続する硫化水素低減材。
【請求項１５】
下記工程：
（ａ）生物学的処理装置中の汚泥含有液を固液分離してバチルス属の細菌を含む汚泥を得て、次いで、
（ｂ）工程（ａ）で得られた汚泥を自然乾燥させて乾燥汚泥を得る
を含む、空間内の硫化水素を低減する能力を有する乾燥汚泥の製造方法。
【請求項１６】
工程（ｂ）において木質チップを混合した汚泥を自然乾燥させる、請求項１５記載の方法。
【発明の詳細な説明】
【技術分野】
【０００１】
本発明は環境衛生および環境浄化の技術分野に関する。詳細には、本発明は悪臭の抑制技術に関する。
【背景技術】
【０００２】
悪臭は下水道、下水溝、下水処理施設、汚泥処理施設、ゴミ処理施設、屎尿処理施設、畜舎、化学工場などから発生しており、周囲の環境を悪化させている。これらの施設から発生する悪臭の主成分は硫化水素やメルカプタン類などの含硫化合物、アンモニアなどの含窒化合物、有機酸およびアルデヒドなどである。なかでも典型的な悪臭物質は硫化水素である。硫化水素は悪臭を放つだけでなく、金属やコンクリートを腐食するので、下水溝や配管、コンクリート構造物を劣化させる。
【０００３】
従来から、硫化水素などの悪臭を抑制する方法として、活性炭やゼオライトなどの吸着剤に悪臭物質を吸着させる方法、酸化鉄や酸化鉄を含む金属酸化物のスラリー等に接触させ、悪臭物質を吸収させる方法、微生物を用いて悪臭物質を吸着、分解する方法が採用されてきた。
【０００４】
例えば、特許文献１には、含水ポリマー、吸水性樹脂等の有機材料、またはゼオライト、活性炭、多孔質ガラス等に無機材料からなる担体に微生物を担持させ、臭気成分を除去する装置が開示されている。特許文献２には、気体および液体が透過可能な合成樹脂からなる不織布製の袋に水酸化鉄を主成分とする脱硫化水素剤を収容する脱硫化水素材が開示されている。特許文献３、４には、多孔質核体や多孔性セラミックス顆粒の表面に悪臭を分解する微生物を担持させる発明が開示されている。
【０００５】
しかし、従来の方法・装置では、空間内の硫化水素の低減効果が十分でない、あるいは装置が大がかりになる、コストがかかる等の問題があった。
【先行技術文献】
【特許文献】
【０００６】
【特許文献１】特開２０００−０４１６７０号公報
【特許文献２】特開１９９４−２６２０６６号公報
【特許文献３】特開１９９７−１６３９８１号公報
【特許文献４】特開１９９３−０７６３６５号公報
【発明の概要】
【発明が解決しようとする課題】
【０００７】
本発明が解決すべき課題は、空間内の硫化水素を効率よく低減させ、しかも手軽かつ安価に用いることのできる手段を得ることであった。
【課題を解決するための手段】
【０００８】
本発明者らは、上記課題を解決するために鋭意努力を重ね、バチルス属の細菌を含む汚泥を乾燥させたものを空間内に配置することにより、空間内の硫化水素が効率良く低減されることを見出した。そして、上記乾燥汚泥に水分を与えたものを用いると、さらに硫化水素が効率良く低減されることを見出した。
【０００９】
したがって、本発明は、以下のものを提供する。
（１）下記工程：
（ａ）生物学的処理装置中の汚泥含有液を固液分離してバチルス属の細菌を含む汚泥を得て、
（ｂ）工程（ａ）で得られた汚泥を自然乾燥させて乾燥汚泥を得て、次いで
（ｃ）工程（ｂ）で得られた乾燥汚泥を通気性のある容器に充填する
を含む、空間内の硫化水素低減材の製造方法。
（２）さらに、乾燥汚泥に水分を与える工程（ｄ）を含む（１）記載の方法。
（３）工程（ｄ）が、工程（ｂ）と工程（ｃ）の間に行われる（２）記載の方法。
（４）工程（ｄ）が、工程（ｃ）の後に行われる（２）記載の方法。
（５）工程（ｄ）において水分が噴霧により与えられる（２）〜（４）のいずれかに記載の方法。
（６）工程（ｄ）における水分がバチルス属の細菌を含む液である（２）〜（５）のいずれかに記載の方法。
（７）バチルス属の細菌を含む液が、生物学的処理装置中の汚泥含有液を固液分離して得られたバチルス属の細菌を含む液またはそれをもとにしてバチルス属の細菌を増殖させた液である（６）記載の方法。
（８）工程（ｂ）において木質チップを混合した汚泥を自然乾燥させる、（１）〜（７）のいずれかに記載の方法。
（９）（１）〜（８）のいずれかに記載の方法により得られた材を空間内に配置することを含む、空間内の硫化水素を低減させる方法。
（１０）空間内に配置された材中の汚泥に水分を与えることを含む（９）記載の方法。
（１１）水分が噴霧により与えられる（１０）記載の方法。
（１２）水分がバチルス属の細菌を含む液である（１０）または（１１）記載の方法。
（１３）バチルス属の細菌を含む液が、生物学的処理装置中の汚泥含有液を固液分離して得られたバチルス属の細菌を含む液またはそれをもとにしてバチルス属の細菌を増殖させた液である（１２）記載の方法。
（１４）生物学的処理装置由来のバチルス属の細菌を含む乾燥汚泥が通気性のある容器中に充填されてなる空間内の硫化水素低減材であって、生物学的処理装置中の汚泥含有液を固液分離して得られたバチルス属の細菌を含む液またはそれをもとにしてバチルス属の細菌を増殖させた液を乾燥汚泥に与えることにより硫化水素低減効果が向上あるいは持続する硫化水素低減材。
（１５）下記工程：
（ａ）生物学的処理装置中の汚泥含有液を固液分離してバチルス属の細菌を含む汚泥を得て、次いで、
（ｂ）工程（ａ）で得られた汚泥を自然乾燥させて乾燥汚泥を得る
を含む、空間内の硫化水素を低減する能力を有する乾燥汚泥の製造方法。
（１６）工程（ｂ）において木質チップを混合した汚泥を自然乾燥させる、（１５）記載の方法。
【発明の効果】
【００１０】
本発明によれば、空間内の硫化水素を効率よく低減させることができ、しかも安価かつ手軽に用いることのできる硫化水素低減材が提供される。本発明の材の硫化水素低減効果は長期にわたり持続可能である。本発明の材は、そのサイズの変更も容易であるので、下水処理場、汚泥処理場、屎尿処理場などの比較的広いスペースのみならず下水管路溝や排水溝など、狭いスペースに容易に設置して、硫化水素発生や、金属腐食、あるいはコンクリートの腐食劣化を防止できる。また、本発明において、バチルス属の細菌の担持体に乾燥汚泥を使用するので、廃棄物を極限まで減少させることができる。さらに、本発明において、木質チップを混合した汚泥の硫化水素低減能が高い。汚泥（余剰汚泥でもかまわない）や廃材を利用して得られる本発明の硫化水素低減材はコストも安く、環境に優しいものである。
【発明を実施するための形態】
【００１１】
本発明は、１の態様において、（ａ）生物学的処理装置中の汚泥含有液を固液分離してバチルス属の細菌を含む汚泥を得て、（ｂ）工程（ａ）で得られた汚泥を自然乾燥させて乾燥汚泥を得て、次いで（ｃ）工程（ｂ）で得られた乾燥汚泥を通気性のある容器に充填することを含む、空間内の硫化水素低減材の製造方法に関する。
【００１２】
上記方法の工程（ａ）は、生物学的処理装置中の汚泥含有液を固液分離してバチルス属の細菌を含む汚泥を得る工程である。生物学的処理装置は、微生物や原生動物を用いて水処理を行う装置であり、具体的には下水、屎尿、畜産汚水、産業排水などの脱臭および浄化などを行う装置である。典型的には、生物学的処理装置は、汚泥を含む曝気槽や浄化槽であるが、これらの種類の装置に限定されない。生物学的処理装置の形式やサイズも限定されない。
【００１３】
汚泥は微生物を含む泥状の塊であり、典型的には活性汚泥である。活性汚泥は、生きた微生物を含む浮遊性有機汚泥である。
【００１４】
生物学的処理装置中の汚泥含有液を固液分離する方法は様々なものが公知であり、遠心分離、フィルターや不織布による濾過、凝集剤を用いる方法などが挙げられるが、これらに限定されない。凝集剤を用いる場合は、汚泥中のバチルス属の細菌にダメージを与えないか、ダメージが少ない凝集剤を用いることが好ましい。
【００１５】
本発明において、固液分離して得られた汚泥はバチルス属の細菌を含むものである。バチルス属の細菌はよく知られたグラム陽性桿菌である。バチルス属の細菌の同定方法も公知である。汚泥中に含まれるバチルス属の細菌の種類はいずれのものであってもよいが、好ましくは、ヒトや動物に対して毒性や病原性のない種類である。好ましいバチルス属の細菌の例として枯草菌（Bacillus subtilis）、Bacillus thuringiensis、Bacillus megateriumなどが挙げられるが、これらに限定されない。
【００１６】
上記方法の工程（ｂ）は、工程（ａ）で得られた汚泥を乾燥させる工程である。様々な乾燥方法が公知であるが、汚泥中のバチルス属の細菌にダメージを与えない、あるいはダメージが少ない方法を選択することが好ましい。好ましい汚泥乾燥法は自然乾燥である。乾燥を効率化するために通気または撹拌を行って乾燥させてもよい。通気は３７℃以下で行うことが好ましい。乾燥の程度は、水分を完全またはほぼ完全に除去してもよく（カラカラの状態）、水分が一部残る程度（例えば、汚泥の表面または内部が湿っている状態、あるいは汚泥表面が濡れているが液ダレしない状態）であってもよい。本発明において、乾燥汚泥とは、水分がほぼ完全に除去された汚泥および水分が一部残存している汚泥の両方をいう。十分に乾燥した汚泥のほうが硫化水素低減効果は大きく、含水率約７０％以下、より好ましくは含水率約５０％以下の汚泥を用いることが好ましい。汚泥は一般に多孔質なので、バチルス属が付着している表面積が大きく、硫化水素低減能が高い。乾燥汚泥中に含まれるバチルス属の細菌の量は、細菌の種類にもよるが、Bacillus subtilisであれば、好ましくは１ｘ１０８ｃｆｕ／ｇＭＬＶＳＳ以上である。
【００１７】
上記方法の工程（ｃ）は、工程（ｂ）で得られた乾燥汚泥を通気性のある容器に充填する工程である。乾燥汚泥を通気性のある容器に充填したものを、本発明の硫化水素低減材とする。通気性のある容器としては、空気を容易に通過させ、しかも中の乾燥汚泥をこぼさない程度の目の粗さを有するものが好ましく、具体的には布袋（布は不織布であってもよい）、網、カゴ、ザル等が例示されるが、これらに限らない。本発明において、乾燥汚泥を皿などの上に乗せて用いてもよく、このような態様も通気性のある容器に充填したものとして扱う。乾燥汚泥の充填量は適宜調節できるが、乾燥汚泥間に隙間ができ、空気が容易に流通できるような量の乾燥汚泥を充填することが好ましい。空気が容易に流通できるとは、送風機などの手段を用いなくても空気が流通しうることを意味する。硫化水素を低減させる空間の広さおよび低減すべき硫化水素濃度に応じて、容器に充填する乾燥汚泥量、容器のサイズ、容器の形状を選択することができる。容器に充填する際に、乾燥汚泥を切断、粉砕等により乾燥汚泥を適当なサイズにしてもよい。乾燥汚泥を小さなサイズに切断、粉砕することにより表面積を増加させて、硫化水素低減能を向上させてもよい。硫化水素低減とは、空間内の硫化水素濃度を低下させることをいう。
【００１８】
上記の材の製造方法において、乾燥汚泥に水分を与える工程（ｄ）が更に含まれていてもよい。工程（ｄ）は、工程（ｂ）と（ｃ）の間に行ってもよく、あるいは工程（ｃ）の後に行ってもよい。
【００１９】
乾燥汚泥に水分を与える工程を追加することによって汚泥表面および汚泥中のバチルス属の細菌を活性化し、増殖させ、あるいは胞子を発芽させることができ、硫化水素低減能を向上させ、維持することができる。乾燥汚泥に与える水分量は、汚泥表面が湿る、あるいは濡れる程度でよいが、液ダレしない程度にすることが好ましい。
【００２０】
水分は、汚泥表面および汚泥中のバチルス属の細菌の活性を高める液体であればよい。水分は、例えば水であってもよく、バチルス属の細菌を含む液であってもよい。バチルス属の細菌を含む液は、生物学的処理装置中の汚泥含有液を固液分離して得られたバチルス属の細菌を含む液であってもよい。汚泥含有液の液相はバチルス属の細菌を豊富に含むので好ましい。生物学的処理装置中の汚泥含有液を固液分離して得られたバチルス属の細菌を含む液をもとにしてバチルス属の細菌を増殖させた液も好ましい。このような液は、例えば汚泥含有液の液相を培地に添加して培養することにより得てもよく、あるいは汚泥含有液の液相から単離されたバチルス属の細菌を培地に添加して培養することによっても得てもよい。バチルス属の細菌を含む液を用いる場合は、新鮮な液のほうが好ましい。水分はまた、バチルス属の細菌の活性を高める成分、あるいは増殖を促進する成分を含んでいてもよい。このような成分として、グルコースなどの炭素源、酵母エキスなどの窒素源、無機塩類などが挙げられるが、これらに限らない。
【００２１】
乾燥汚泥に水分を与える方法は公知の方法を用いることができ、例えば、水分を噴霧、散布または塗布する、あるいは液体中に適当時間浸漬する等が挙げられるが、これらに限定されない。好ましくは、噴霧により乾燥汚泥に水分を与える。
【００２２】
上記製造方法にて得られる硫化水素低減材に木質チップが混合されていてもよい。木質チップの混合は、上記製造工程のいずれの段階で行ってもよいが、上記工程（ｂ）において木質チップを混合した汚泥を自然乾燥させることが好ましい。木質チップとともに乾燥させることによって、得られる材の硫化水素低減能を向上させることができる。
【００２３】
本明細書において、木質チップとは木材を破砕、切削あるいは打撃などの処理に供したものをいう。木質チップの原料は、スギ、ヒノキ、マツなどの針葉樹であってもよく、サクラなどの広葉樹にあってもよい。木質チップは、例えば間伐材、剪定枝、建築廃材、あるいは粗朶などを破砕、切削あるいは打撃処理したものであってもよい。さらに本明細書において、木質チップは、籾殻、ふすま、稲わら、麦わらなどの穀物由来の材料も包含する。
【００２４】
木質チップと汚泥との混合割合は適宜定めうるが、上記工程（ｂ）において木質チップを汚泥に混合して自然乾燥させる場合は、湿汚泥に対して約１〜約５０重量％、例えば約５〜約２０重量％の割合で木質チップを混合してもよい。
【００２５】
本発明は、さらなる態様において、上で説明した製造方法により得られた硫化水素低減材を空間内に配置することを含む、空間内の硫化水素を低減させる方法に関する。
【００２６】
空間は、硫化水素が存在している空間、および硫化水素が発生する可能性のある空間であれば、いずれの空間であってもよい。空間は、例えば、下水処理場、汚泥処理場または屎尿処理場、ゴミ処理場、畜舎、化学工場など悪臭発生施設内のいずれかの空間であってもよく、地下の下水溝内や畜産設備の排水溝内であってもよい。特別な空間としては、金属材料が使用されている空間やコンクリート構造物内の空間が挙げられるがこれらに限定されない。
【００２７】
本発明の硫化水素低減材を空間内に配置する方法も、特に限定されない。本発明の硫化水素低減材を空間内に吊したり、置いたりしてもよい。また、空間の広さ、硫化水素の量に応じて、本発明の硫化水素低減材のサイズや個数を選択することができる。
【００２８】
さらに本発明は、（ａ）生物学的処理装置中の汚泥含有液を固液分離してバチルス属の細菌を含む汚泥を得て、次いで、（ｂ）工程（ａ）で得られた汚泥を自然乾燥させて乾燥汚泥を得ることを含む、空間内の硫化水素を低減する能力を有する乾燥汚泥の製造方法に関する。
【００２９】
上記製造方法により得られた乾燥汚泥を木質チップと混合してもよい。工程（ｂ）において木質チップを混合して自然乾燥させることが、硫化水素低減能の向上の観点から好ましい。
【００３０】
以下に実施例を示して本発明をより詳細かつ具体的に説明するが、実施例はあくまでも本発明を説明するためのものであり、本発明の範囲を限定するものと解してはならない。
【実施例１】
【００３１】
本発明の製造方法にて得られたバチルス属の細菌を含む乾燥汚泥による臭気抑制試験を行った。
【００３２】
試験方法
５００ｍＬのプラスチック容器に、農業集落排水施設の自動微細目スクリーンで捕捉された屎渣（スクリーン屎渣）５０ｇを入れた。バチルス属の細菌を含む乾燥汚泥（乾燥汚泥）５０ｇ、木質チップ（剪定枝を破砕したもの）を約１０重量％添加して自然乾燥した乾燥汚泥（木質チップ入り乾燥汚泥）５０ｇ、乾燥汚泥５０ｇにバチルス属の細菌を含む液（バチルス培養液）を噴霧したもの、あるいは木質チップ入り乾燥汚泥５０ｇにバチルス培養液を噴霧したものをスクリーン屎渣に添加した。容器に密閉可能なフタをして、容器の気相中の硫化水素（Ｈ２Ｓ）濃度を、ガス検知管を用いて経時的に測定した。スクリーン屎渣５０ｇのみを入れた系、およびスクリーン屎渣５０ｇにバチルス属の細菌を含む液を噴霧したものについても同様に試験した。試験は２回行い、各試料につき２系で行った。試験温度は常温（３４℃）であった。
【００３３】
試験結果
試験結果を表１に示す。
【表１】
2018057534.tif 000002
試料1  ：  スクリーン屎渣50g
試料2  ：  スクリーン屎渣50g  ＋  乾燥汚泥50g
試料3  ：  スクリーン屎渣50g  ＋  木質チップ入り乾燥汚泥50g
試料4  ：  スクリーン屎渣50g  ＋  バチルス培養液
試料5  ：  スクリーン屎渣50g  ＋  乾燥汚泥50g  ＋  バチルス培養液
試料6  ：  スクリーン屎渣50g  ＋  木質チップ入り乾燥汚泥50g  ＋  バチルス培養液
【００３４】
スクリーン屎渣５０ｇのみを充てんした試料１では、常温下で２４時間、７２時間経過後、Ｒｕｎ１からＲｕｎ４すべての気相部から１２０ｐｐｍを上回るＨ２Ｓが検出された。
スクリーン屎渣５０ｇにバチルス培養液を噴霧した試料４の２４時間、７２時間経過後のＲｕｎ１からＲｕｎ３のＨ２Ｓ濃度は、１２０ｐｐｍを上回るＨ２Ｓが検出されたが、Ｒｕｎ４のＨ２Ｓ濃度はそれぞれ３２ｐｐｍ、８４ｐｐｍであった。この差異が生じた要因として、Ｒｕｎ４で用いたバチルス培養液がＲｕｎ１〜Ｒｕｎ３で用いたものよりも新鮮なものであったことによると考えられる。
【００３５】
スクリーン屎渣５０ｇと乾燥汚泥５０ｇを充填した試料２では、Ｒｕｎ１とＲｕｎ２のＨ２Ｓ濃度が４から２０ｐｐｍ程度検出されたのに対して、Ｒｕｎ３とＲｕｎ４では０から５ｐｐｍであった。
スクリーン屎渣５０ｇとバチルス培養液を噴霧した乾燥汚泥５０ｇを充填した試料５では、Ｒｕｎ１とＲｕｎ２のＨ２Ｓ濃度が４から４４ｐｐｍ程度検出されたのに対して、Ｒｕｎ３とＲｕｎ４ではＨ２Ｓが全く検出されなかった。
Ｒｕｎ１とＲｕｎ２、Ｒｕｎ３とＲｕｎ４との間でＨ２Ｓ抑制能に差異が生じた要因は、Ｒｕｎ１とＲｕｎ２に用いた乾燥汚泥の含水率が８０％程度、Ｒｕｎ３とＲｕｎ４に用いたものが３５％程度であったことから、含水率の差であることが分かった。含水率の低い乾燥汚泥を用いることがＨ２Ｓの低減に好ましいと考えられる。
【００３６】
スクリーン屎渣５０ｇと木質チップ入り乾燥汚泥５０ｇを充填した試料３のＲｕｎ１とＲｕｎ２では、概ね４ｐｐｍのＨ２Ｓが検出されたのに対して、Ｒｕｎ３とＲｕｎ４は、２４時間後に１回５ｐｐｍのＨ２Ｓが検出された以外は未検出であった。先の考察と同様に、汚泥含水率を低くした方が、Ｈ２Ｓ低減能が向上すると考えられた。
スクリーン屎渣５０ｇとバチルス培養液を噴霧した木質チップ入り乾燥汚泥５０ｇを充填した試料６と試料３を比較すると、試料６のＨ２Ｓ低減能が大幅に向上していた。このことから、バチルス培養液を加えた方がＨ２Ｓ低減能力は向上することが分かる。また、試料２と試料３、試料５と試料６を比較すると、試料３と試料６のＨ２Ｓ抑制能が大幅に向上していた。これらのことから、木質チップを混合して汚泥を乾燥させると臭気抑制能を向上させる効果があることが分かった。
【００３７】
試料２と試料５について、約１年間放置した後に気相中のＨ２Ｓを測定したところ、ほぼ０ｐｐｍであり、本発明の材のＨ２Ｓ低減効果が長期にわたり持続することが確認された。
【産業上の利用可能性】
【００３８】
本発明は、環境衛生および環境浄化などの分野において利用可能である。本発明の硫化水素低減材は、下水道、下水溝、下水処理施設、汚泥処理施設、ゴミ処理施設、屎尿処理施設、畜舎、化学工場などにおいて利用可能である。